(57)【要約】      （修正有）【課題】ゴミの分別に際し、より剥離しやすい包装ラベルを提供する。【解決手段】剥離を簡便にすることを目的とした包装ラベルであって、ペットボトルなどの生活用品の容器の周囲に巻かれ、上端から下端に向けて手の動き４に合わせた円弧を描くように、または螺旋状に、ミシン目３が設けられている。【選択図】図２
0003200393.tif 000002
【実用新案登録請求の範囲】
【請求項１】
生活用品の包装ラベルの剥離を簡便にするためのミシン目などのデザインの工夫。ミシン目ラインを直線ではなく人間の手の動きに合わせた弧を描くような曲線にすることによって包装ラベルの剥離がより簡便になる。ただし簡便化と共に、デザイン性や製造効率などを両立させる場合はこの限りではない。ミシン目デザインの自由度に特に制限は無い。
【考案の詳細な説明】
【技術分野】
【０００１】
本考案は、ペットボトルなど生活用品の容器の周囲に巻かれたフィルム状の包装ラベルを剥離するために設けられたミシン目のデザインに関するものである。
【背景技術】
【０００２】
近年、ゴミ収集時の分別の必要性から、ペットボトルなど生活用品の容器は、本体と包装ラベルをそれぞれ剥離・分離し廃棄することを要求される。
【０００３】
そこで鋭利な刃物などの道具を使用することなく、簡便にラベルの剥離ができるように、１本の直線状または２本の平行する直線状にミシン目を設ける構造が一般的に採用されている。
【先行技術文献】
【特許文献】
【０００４】
【特許文献１】特開２００８−０４４６６９公報
【特許文献２】特開２００６−１９３２０７公報
【特許文献３】特開２００５−１３２４７９公報
【特許文献４】特開平１０−３１６１４３公報
【考案の概要】
【考案が解決しようとする課題】
【０００５】
生活用品の容器の包装ラベル（主にペットボトル）は、過去の多くの発明・考案により飛躍的に剥離しやすくなっている。
【０００６】
しかしながら現状のミシン目は１本の直線状または２本の平行する直線状にミシン目を設ける構造がほとんどである。包装ラベル剥離時の人間の手の動きは、主に肩関節の内旋動作および前腕の回内動作によって行われるため、直線的な動きにならず、ミシン目を破り続けるうちに力がかかる方向がずれ、ミシン目の本来の用途が果たせない。場合によってはミシン目と直角に包装ラベルが破綻しそのまま破線が１周、包装ラベルの下端がリング状に残存してしまう事例がある。
【０００７】
また２本の直線で平行に設けたミシン目の場合、剥離が終了した時点で剥離辺が２つに分離し、ゴミが散逸してしまう欠点があった。
【０００８】
これらの課題は個々の包装ラベル剥離作業にとっては些細な問題に過ぎないが、多数の剥離作業を連続して行う場合に作業効率を著しく落とす可能性がある。
【課題を解決するための手段】
【０００９】
本考案のミシン目を含む包装ラベルのデザインは、人間工学に基づいたヒトの腕の動きを考慮し、合理的で簡便な包装ラベルの剥離ができるよう設計されている。
【００１０】
包装ラベル剥離の簡便化を最優先にした場合、理想的なミシン目のラインは包装ラベルの上端から開始し、人間の肘から指先までの長さを目安とし、これを半径とする円周の弧を描くように下端へと設けるデザインが望ましい。図１
【考案の効果】
【００１１】
本考案によるミシン目のデザインにより、手の動きに連動してミシン目の角度が変化していき、手からの力のベクトルと、ミシン目の方向が剥離動作を終えるまで一致している。このため剥離動作中にミシン目以外の部分が破綻する確率が低く、余分な動作を行うことなくあるいは余分な力をかけることなく簡便に包装ラベルの剥離が可能である。図２
【００１２】
図２では右利きの人が剥離動作を行う実施例を示したが、左利きの場合は右手で容器の方向を上下逆にして持ち、左手でミシン目を破り手前から遠方に向けて動作を行うと簡便に包装ラベルの剥離が可能である。図３
【００１３】
ただし簡便化と共に、デザイン性や製造効率などを両立させる場合はこの限りではない。ミシン目デザインの自由度に特に制限は無い。
【図面の簡単な説明】
【００１４】
【図１】図１は包装ラベルのミシン目ラインの１例である。（実施例１）
【図２】図２は実際に包装ラベルを剥離する際の右手の動きである。（実施例２）
【図３】図３は左利きの場合での包装ラベル剥離方法である。（実施例３）
【図４】図４はスタキュレーの原理を用いた暗号の知育玩具の一例である（実施例４）
【図５】図５は製造効率を考慮したミシン目デザインの一例である（実施例５）
【産業上の利用可能性】
【００１５】
ミシン目デザインのバリエーションにより、生活用品の容器本来の役目を果たした後、廃棄までの間に子供の知育玩具としての利用可能性がある。次にその１例を示す。
【００１６】
古代スパルタにおいて使用されていたというスタキュレーと呼ばれる棒を用いた暗号作成の記録が残されている。これは円筒状のものに細長い紙を螺旋状に巻き付け、円の中心軸に平行になるようメッセージを書く。この細長い紙をほどいて伸ばすとメッセージは意味をなさない文字列になり、改めて同径の筒に巻き付けると書き込んだメッセージが再現されるというものである。
【００１７】
まずミシン目を螺旋状に設ける。包装ラベルの剥離前に縦書きでメッセージを記入する。ミシン目のとおりに破っていくと、包装ラベルは最終的に連続したテープ状になる。この時ラベルに書かれていたメッセージは意味をなさない文字列になっており、これを容器本体と一緒にメッセージを伝えたい相手に渡す、あるいは相手がすでに同じ形状の容器を持っている。このような状態で包装ラベルをもとの形に復元した際に、メッセージが相手に伝わる。図４
【００１８】
ＮＨＫのＥテレのある番組では、同様の方法で子供が母親に知られたくないメッセージを父親にだけ認知できるような手段として紹介されている。ただしこの場合は細長い紙と、棒などの筒状のものを個別に用意し、紙を棒に巻き付ける動作から始まる点が異なる。
【００１９】
ミシン目の起点と終点は００１０の内容に基づいて設定した場合、製造過程において一直線上に並ばない。この場合包装ラベルの印刷も個々に合わせて行う必要がある。これらの必要性により製造効率が下がるようであれば、ミシン目を螺旋状に設け、起点と終点を結んだ線が一直線上に並ぶよう調整することも想定される。図５
【００２０】
ミシン目ラインはその必要に応じて自由にデザイン変更が可能である。またミシン目のデザインそのものを包装デザインあるいはその一部として利用することも可能である。
【符号の説明】
【００２１】
１    ヒトの肩関節の内旋動作
２    内旋動作による指先の軌跡
３    理想的なミシン目ライン
４    ヒトの右肩関節の内旋および右前腕の回内動作
５    ヒトの左肩関節の外旋および左前腕の回外動作
６    包装ラベル剥離前にメッセージを記入
７    包装ラベルをミシン目にしたがって剥離
８    暗号としてメッセージを伝えたい相手に渡す
９    セロハンテープなどで固定する
１０  相手が包装ラベルを再構成する
１１  想定されるミシン目ライン
１２  ミシン目の起点と終点を結んだ直線
【図１】
0003200393.tif 000003
【図２】
0003200393.tif 000004
【図３】
0003200393.tif 000005
【図４】
0003200393.tif 000006
【図５】
0003200393.tif 000007
【手続補正書】
【提出日】平成27年4月9日(2015.4.9)
【手続補正１】
【補正対象書類名】実用新案登録請求の範囲
【補正対象項目名】全文
【補正方法】変更
【補正の内容】
【実用新案登録請求の範囲】
【請求項１】
剥離を簡便化にすることを目的とした、直線に限らない自由なデザインのミシン目を有する、ペットボトルなど生活用品の容器の周囲に巻かれたフィルム状の包装ラベル。
【手続補正書】
【提出日】平成27年7月22日(2015.7.22)
【手続補正１】
【補正対象書類名】実用新案登録請求の範囲
【補正対象項目名】全文
【補正方法】変更
【補正の内容】
【実用新案登録請求の範囲】
【請求項１】
剥離を簡便にすることを目的とした包装ラベルであって、ペットボトルなどの生活用品の容器の周囲に巻かれており、上端から下端に向けて円弧を描くように、または螺旋状に、ミシン目が設けられたフィルム状の包装ラベル。